(57)【要約】【課題】電気炊飯器の相互に嵌合される炊飯器本体と蓋との嵌合部における断熱性能を可及的に向上させて、全体の熱効率をアップさせる。【解決手段】水および米を収容する内鍋と、内ケースおよび外ケースよりなり、内ケース内に上記内鍋を取り出し自在に収納する有底筒状の炊飯器本体と、該炊飯器本体の上端側開口部周縁に嵌合される蓋と、上記炊飯器本体の下部にあって上記炊飯器本体の上記内ケース内に収納された内鍋を加熱する加熱手段と、上記炊飯器本体の内側にあって上記内ケースの外周面を囲む状態で設けられた炊飯器本体側の断熱部材と、上記蓋の内側にあって上記炊飯器本体の開口部を覆うように設けられた蓋側の断熱部材とからなる電気炊飯器であって、上記炊飯器本体側の断熱部材の上端と蓋側の断熱部材の外周とが、上記炊飯器本体と蓋との嵌合時において嵌合方向に沿って所定の幅以上重なり合うようにすることにより、当該嵌合部の断熱性を向上させて、可及的に外部への放熱量を低減した。【選択図】        図５
2008272095.tif 000002
【特許請求の範囲】
【請求項１】
水および米を収容する内鍋と、内ケースおよび外ケースよりなり、内ケース内に上記内鍋を取り出し自在に収納する有底筒状の炊飯器本体と、該炊飯器本体の上端側開口部周縁に嵌合される蓋と、上記炊飯器本体の下部にあって上記炊飯器本体の上記内ケース内に収納された内鍋を加熱する加熱手段と、上記炊飯器本体の内側にあって上記内ケースの外周面を囲む状態で設けられた炊飯器本体側の断熱部材と、上記蓋の内側にあって上記炊飯器本体の開口部を覆うように設けられた蓋側の断熱部材とからなる電気炊飯器であって、上記炊飯器本体側の断熱部材の上端と蓋側の断熱部材の外周とが、上記炊飯器本体と蓋との嵌合時において嵌合方向に沿って所定の幅以上重なり合うように構成されていることを特徴とする電気炊飯器。
【請求項２】
炊飯器本体側の断熱部材の上端と蓋側の断熱部材の外周とは、炊飯器本体側断熱部材の上端が、蓋側断熱部材の内側に位置する形で炊飯器本体と蓋との嵌合時において嵌合方向に沿って所定の幅以上重なり合うようにされていることを特徴とする請求項１記載の電気炊飯器。
【請求項３】
炊飯器本体の開口部内周縁には下方側に開口するとともに所定の高さ上方側に延びる逆Ｕ状部が設けられており、該逆Ｕ状部内側の凹溝部内に炊飯器本体側断熱部材の上端側を挿入することにより、当該炊飯器本体側断熱部材を固定していることを特徴とする請求項２記載の電気炊飯器。
【請求項４】
凹溝部の内ケース面側には所定の高さのリブが設けられていて、炊飯器本体側の断熱部材は、炊飯器本体側の内ケースに対して、同リブを介して所定の間隔の隙間を保って支持されていることを特徴とする請求項３記載の電気炊飯器。
【請求項５】
嵌合時において相互に対応する炊飯器本体の開口部周縁部材および蓋の外周縁部材の一部をそれぞれ薄肉に形成したことを特徴とする請求項１，２，３又は４記載の電気炊飯器。
【発明の詳細な説明】
【技術分野】
【０００１】
本願発明は、炊飯器本体と蓋部との間の断熱性を向上させた電気炊飯器に関するものである。
【背景技術】
【０００２】
ヒータ式、電磁誘導加熱式等加熱手段の如何にかかわらず、一般に電気炊飯器は、内鍋（飯器）を取り出し可能に収納する有底筒状の炊飯器本体と、該炊飯器本体の上端側開口部周縁に冠合される蓋（蓋ユニット）とから構成されている（例えば特許文献１を参照）。
【０００３】
ところで、最近では電気炊飯器に対する消費電力低減の要求が高くなってきており（電気炊飯器は、すでに２００６年に省エネ特定機器に指定されている・・・達成目標年度２００８年）、同要求を実現するためには内鍋に対する加熱効率の向上が必要であると同時に上記炊飯器本体および蓋部各々の断熱性を高くし、内鍋から外部への無駄な放熱量を可能な限り少なくすることが必要である。
【０００４】
このため、従来から、例えば炊飯器本体の内ケースと外ケースとの間および蓋部内側の各々に断熱部材を配設し、炊飯器本体および蓋部各々の断熱性能を向上させ、内鍋から外部への放熱量を低減するようにしたものがある（例えば特許文献２、特許文献３を参照）。
【０００５】
【特許文献１】特開平１０−８５１２５号公報
【特許文献２】特開平３−７０５２０号公報
【特許文献３】特開平４−３３６００９号公報
【発明の開示】
【発明が解決しようとする課題】
【０００６】
以上のような構成を採用すると、確かに炊飯器本体および蓋部各々の断熱性は向上する。
【０００７】
しかし、上記蓋部は、炊飯器本体の上端側開口部周縁（肩部）に対して開閉可能な形で嵌合されるようになっており、同嵌合位置には必然的に放熱空間としての隙間部が形成される一方、炊飯器本体側開口部周縁部材および蓋側周縁部材を介して生じる熱伝導によっても外部に放熱されるので、この部分での断熱性能が不十分な問題がある。
【０００８】
本願発明は、このような事情に基いてなされたもので、嵌合時において、炊飯器本体側断熱部材と蓋側断熱部材とを嵌合方向に所定の幅以上オーバーラップさせることにより、それら嵌合部の断熱性能をも可及的に向上させた電気炊飯器を提供することを目的とするものである。
【課題を解決するための手段】
【０００９】
本願発明は、同目的を達成するために、次のような課題解決手段を備えて構成されている。
【００１０】
（１）  請求項１の発明
この発明の電気炊飯器は、水および米を収容する内鍋と、内ケースおよび外ケースよりなり、内ケース内に上記内鍋を取り出し自在に収納する有底筒状の炊飯器本体と、該炊飯器本体の上端側開口部周縁に嵌合される蓋と、上記炊飯器本体の下部にあって上記炊飯器本体の上記内ケース内に収納された内鍋を加熱する加熱手段と、上記炊飯器本体の内側にあって上記内ケースの外周面を囲む状態で設けられた炊飯器本体側の断熱部材と、上記蓋の内側にあって上記炊飯器本体の開口部を覆うように設けられた蓋側の断熱部材とからなる電気炊飯器であって、上記炊飯器本体側の断熱部材の上端と蓋側の断熱部材の外周とが、上記炊飯器本体と蓋との嵌合時において嵌合方向に沿って所定の幅以上重なり合うように構成されていることを特徴としている。
【００１１】
このような構成によれば、炊飯器本体の開口部周縁と蓋外周縁との嵌合部において、相互に嵌合した状態では各々の断熱部材同士が相互に所定幅以上オーバーラップし、当該嵌合部においても従来のように熱放射方向にストレートな放熱空間としての隙間がなくなり、内鍋の上端側開口縁部からの放射熱が、同炊飯器本体側断熱材および蓋側断熱材のオーバーラップ部によって確実に遮断されるようになり、内鍋開口縁部から外部への放射熱量が大きく低減される。
【００１２】
（２）  請求項２の発明
この発明の電気炊飯器は、上記請求項１の発明の構成において、炊飯器本体側の断熱部材の上端と蓋側の断熱部材の外周とは、炊飯器本体側断熱部材の上端が、蓋側断熱部材の内側に位置する形で炊飯器本体と蓋との嵌合時において嵌合方向に沿って所定の幅以上重なり合うように構成されていることを特徴としている。
【００１３】
このような構成によれば、炊飯器本体と蓋との嵌合部において、相互の嵌合状態が良好になるとともに、上述のように従来のような熱放射方向にストレートな放熱空間としての隙間がなくなり、内鍋上端側開口縁部からの放射熱が、同内側に位置して適切に重なり合う炊飯器本体側断熱材および外側に位置して重なり合う蓋側断熱材相互の所定幅以上のオーバーラップ部によって確実に遮断され、外部への放射量が大きく低減される。
【００１４】
（３）  請求項３の発明
この発明の電気炊飯器は、上記請求項１又は２の発明の構成において、炊飯器本体の開口部内周縁には下方側に開口するとともに所定の高さ上方側に延びる逆Ｕ状部が設けられており、該逆Ｕ状部内側の凹溝部内に炊飯器本体側断熱部材の上端側を挿入することにより、当該炊飯器本体側断熱部材を固定していることを特徴としている。
【００１５】
このような構成によれば、炊飯器本体側開口部周縁、すなわち肩部材部分の断熱と炊飯器本体側断熱材の位置決めおよび固定とが同時に達成される。
【００１６】
（４）  請求項４の発明
この発明の電気炊飯器は、上記請求項３の発明の構成において、凹溝部の内ケース面側には所定の高さのリブが設けられていて、炊飯器本体側の断熱部材は、炊飯器本体側の内ケースに対して、同リブを介して所定の間隔の隙間を保って支持されていることを特徴としている。
【００１７】
このような構成によれば、同所定の間隔の隙間が、さらに断熱空間として有効に作用し、より炊飯器本体および開口部周縁（肩部材部分）の断熱性能が向上する。
【００１８】
（５）  請求項５の発明
この発明の電気炊飯器は、上記請求項１，２，３又は４の発明の構成において、嵌合時において相互に対応する炊飯器本体の開口部周縁部材および蓋の外周縁部材の一部をそれぞれ薄肉に形成したことを特徴としている。
【００１９】
このような構成によると、炊飯器本体と蓋との嵌合部における例えばポリカバー、肩部材等相互の重合部材部分の伝熱性をも低下させることができ、それらの部分を介した外部への熱伝導による放熱量をも有効に低減することができる。
【発明の効果】
【００２０】
以上の結果、本願発明によると、炊飯器本体と蓋との嵌合部の断熱性が向上し、可及的に熱効率の高い省エネ性能にすぐれた電気炊飯器を提供することができるようになる。
【発明を実施するための最良の形態】
【００２１】
図１〜図７は、本願発明の最良の実施の形態に係る電気炊飯器本体および各部の構成を示している。
【００２２】
先ず同電気炊飯器は、例えば内鍋として電磁誘導の可能な磁性金属板よりなるものが採用されている一方、炊飯時の加熱手段として、合成樹脂製の内ケースを介して当該内鍋の底壁部の全体を包み込むように当該内鍋底壁部の中央部側と側方部側の２ケ所の全周に対応するワークコイルが設けられ、また保温時の加熱手段として、上記内鍋側壁部全周に対応する保温ヒータ、同内鍋の開口縁部に対応して肩ヒータがそれぞれ設けられている。そして、それらによって適切な炊飯と保温機能とを実現できるようになっている。
【００２３】
すなわち、該電気炊飯器の炊飯器本体は、例えば図１および図２に示すように、内部に誘起されるうず電流によって自己発熱が可能な例えばステンレス鋼板等の磁性金属板よりなる内鍋(飯器)３と、該内鍋３を任意にセットし得るように形成された合成樹脂製の有底筒状の内ケース（保護枠）４と、該内ケース４を保持する外部筺体である有底筒状の外ケース１と、該外ケース１と上記内ケース４とを一体化して形成された炊飯器器体の上部に開閉可能に設けられた蓋ユニット２とから構成されている。
【００２４】
上記内ケース４の底壁部（底部）４ａの下方側にはコイル台７が設けられ、その上部には、同図１に示すように、フェライトコア７２，７２・・・を介し、上記内鍋３の底壁部３ａの中央部側と側方部側の両位置に対応して各々リッツ線が相互に接触する程度の小さなピッチで同心状に巻成された２組のワークコイルＬ1，Ｌ2が、それら相互の間に所定の間隔を置いて、それぞれ内鍋３の底壁部３ａの全体を包み込むように設けられており、通電時には内鍋３にうず電流を誘起して、その全体を略均一に加熱するようになっている。
【００２５】
そして、該ワークコイルＬ1，Ｌ2は、例えば相互に直列に接続され、連続するワークコイルユニットとして、その一端は整流回路および平滑回路を介した電源ラインに、また他端は後述するＩＧＢＴ（パワートランジスタ）のコレクタにそれぞれ接続されている。これら各回路やＩＧＢＴは、上記炊飯器器体の電源および制御基板６Ａ上に設けられている。
【００２６】
また、上記ワークコイルＬ2の上方の内ケース側壁部４ｂには、保温時において加熱手段として機能する保温ヒータＨ1が設けられており、保温時において上記内鍋３の側壁部３ｂの全周を有効かつ均一に加熱するようになっている。この保温ヒータＨ1は、例えばコードヒータにより構成されている。
【００２７】
また上記外ケース１は、例えば合成樹脂材で形成された上下方向に筒状のカバー部材１ａと、該カバー部材１ａの上端部に結合され、炊飯器本体の開口部外周縁を形成している合成樹脂製の肩部材５と、上記カバー部材１ａの下端部に一体化された合成樹脂製の底部材１ｂとからなり、かつ上記内ケース４の底壁部４ａとの間に所定の広さの断熱および通風空間部を形成した全体として有底の筒状体に構成されている。
【００２８】
そして、該外ケース１の前面部上方には、操作パネル部９が設けられている。該操作パネル部９面には、特に図示はしないが、十分に広く大きな表示面積をもつ液晶表示部と、炊飯スイッチ（加熱開始手段）、タイマー予約スイッチ、取消スイッチ（取消手段）、保温スイッチ（加熱開始手段）、再加熱スイッチ、メニュー選択スイッチ、時スイッチ、分スイッチ等の各種入力スイッチ（タッチキーのタッチ部）が設けられている。
【００２９】
また、内ケース４下方側の上記コイル台７の中央部には、上下方向に同心状に貫通したセンタセンサ収納空間部が形成されており、該センタセンサ収納空間部中に上下方向に昇降自在な状態で、かつ常時コイルスプリングにより上方に上昇付勢された状態で内鍋温度検知センサを備えたセンタセンサ８が設けられている。
【００３０】
一方、符号２は蓋ユニットであり、該蓋ユニット２は、その外周面を構成する合成樹脂製の外カバー２１と、該外カバー２１の外周縁部内側に突設された蓋外周縁部材としてのポリカバー２２と、該ポリカバー２２の本体部２２ｂの内側にパッキン１４を介して重合固定され、その上面に蓋ヒータＨ2を有するとともに、上記内鍋３の上端側開口縁部３ｃに対して上記パッキン１４の外周片１４ａを当接させる放熱板２３と、該放熱板２３の下方に設けられ、その外周縁２４ｂ部分に上記パッキン１４の内周片１４ｂが当接されている金属製の内カバー２４とから形成されている。また、上記外カバー２１と放熱板２３との間には、所定の厚さ、所定の直径の断熱部材２０を設けることにより、当該蓋ユニット２の略全体を断熱構造体に形成するようにしている（詳細は後述）。
【００３１】
上記ポリカバー２２は、外周側が円弧状に曲成された所定の幅のドーナツ板構造をなしていて、その内周側本体部（水平部）２２ｂの上面側所定の個所には、上記外カバー２１の裏面側に突設された係合片２１ａに係合される係合片２２ａが設けられているとともに、他方その外周側の下方に向けて円弧状に曲成したフランジ部２２ｃの先端２２ｄは水平方向に折り曲げられて、後述する炊飯器本体側肩部材５のフランジ部５１の凹溝部および段部面上に近接するように臨まされている。
【００３２】
そして、これら外周側のフランジ部２２ｃおよびその先端２２ｄは、全体としても上記内周側の本体部２２ｂに比べて、その厚さが薄く形成されているが、特に上記外周側フランジ部２２ｃ部分の厚さは、その先端２２ｄ部分の厚さよりも所定値以上薄く形成されていて（断面積が小さく形成されていて）、上記放熱板２３の外周および内鍋３の開口縁部３ｃ等蓋内側からの熱が、同ポリカバー２２の外周縁部２２ｃ部分を介して外部（肩部材５方向）に伝導して放熱されるのを可能な限り阻止するようにしている。
【００３３】
この蓋ユニット２は、その後端側を、上記外ケース１および内ケース４よりなる炊飯器本体上部の開口部周縁を形成している肩部材５に対してヒンジ機構１２およびヒンジカバー２６を介して回動自在に取付けられており、その開放端側（前端側）には、該蓋ユニット２の所定位置に係合して該蓋ユニット２の上下方向への開閉を行うロックおよびロック解除機構１３が設けられている。
【００３４】
また、図示のように上記蓋ユニット２の略中央部には、御粘成分を回収しながら蒸気のみを外部に逃がすとともに炊飯工程に応じて内鍋３内の圧力を調節する調圧ユニット（調圧機構部・・・・その詳細な構造は省略して示している）２５を備えた蒸気放出装置２６が設けられている。
【００３５】
蒸気放出装置２６は、上方に向けた蒸気逃し通路形成用の２重筒形状のキャップ部材よりなっていて、内側の上方に長い筒部２６ａ部分をラバー材よりなるシールおよび係止部材２７を介して外カバー２１裏面側の筒状の係止部２１ｂに対して着脱可能に取り付けている。そして、上記放熱板２３は、その中央部側開口縁部２３ａを当該キャップ部材の外側の筒状部２６ｂによって嵌合支持されている一方、内カバー２４は、その中央部側開口縁部２４ａを当該キャップ部材の下端側がフランジ部に螺着して支持されている。
【００３６】
一方、上記内ケース４の前方には上述した電源および制御基板６Ａが上下方向に延びて設けられ、その下方にはＩＧＢＴ等冷却用のヒートシンク１９および冷却ファン２９が設けられている。また上記前面側操作パネル部９下方の外ケース１と内ケース４の間には操作基板およびマイコン基板６Ｂが設けられ、該操作基板およびマイコン基板６Ｂ上のマイコン制御ユニットには、上記各入力スイッチを介して入力されたユーザーの指示内容を判断する所望の認識手段が設けられており、該認識手段で認識されたユーザーの指示内容に応じて所望の炊飯又は保温機能、所望の炊飯又は保温メニュー、それら炊飯又は保温メニューに対応した所定の加熱出力、加熱パターンを設定して、同炊飯又は保温加熱制御手段としてのマイコン制御ユニットを適切に作動させて所望の炊飯又は蒸し、保温を行うようになっている。
【００３７】
一方、炊飯器本体の開口部周縁を形成している上記肩部材５は、内周側から外周側にかけて、その内周壁５２ａ側を上記内ケース４の上端４１に対して係合され、下方側に開口した凹溝部を形成している断面逆Ｕ字状の内鍋支持部５２と、該断面逆Ｕ字状の内鍋支持部５２の外周壁５２ｂとの間でＵ字状の凹溝部および鉤状の段部を形成しているフランジ部５１と、外ケース１ａの上端に係合して固定されている断面逆Ｕ字状の肩枠部５３とからなり、それらを相互に連続一体化して構成されている。
【００３８】
上記内鍋支持部５２の内周壁５２ａは、上記フランジ部５１の内周壁を形成している外周壁５２ｂよりも長くて、フランジ部５１のフラット面（凹溝部底面および段部水平面）よりも所定長さ下方に延設され、その下端を上記内ケース４の上端４１の鉤形の段部に係合して支持されている。そして、その上端側端面部には内鍋受け止め用の耐熱性の高いラバー部材５７が周方向に所の間隔を置いて少なくとも３個以上嵌合（設置）されている。
【００３９】
また、その内側（下面側）逆Ｕ字状の凹溝部内には、上記内ケース４の側壁部４ｂの外周を囲むように配設された筒状の断熱部材３０の上端３０ａが上下方向に延び、かつ半径方向外方に所定の高さ突出したリブ５４を介して嵌合されている。この断熱部材３０の下端３０ｂは、上記コイル台７のフェライトコア支持部材７１の先端側上面に設けられたリブ７４によって半径方向内側への位置を規制された状態で支持されている。
【００４０】
そして、これら上端側リブ４、下端側リブ７４の２つのリブによって上記内ケース４の側壁部４ｂ外周面との間に確実に所定の幅の断熱空間Ａ2を保った状態で設置されている。
【００４１】
この結果、同構成によると、内鍋３の側面部３ｂの上下方向の全体および保温ヒータＨ1からの熱が、先ず上記断熱空間Ａ2によって断熱され、さらに断熱部材３０によって最終的に断熱されるようになり、２重の断熱作用が実現されるので、従来に比べて一層外部に放熱されにくくなる。
【００４２】
また、上記内鍋支持部５２の外周壁５２ｂ部分は、その他の部分（内周壁５２ａおよび上壁部分）よりも壁部の厚さが薄く形成され、それによって断面積を小さくすることによって、内周壁５２ａ側からの熱がフランジ部５１側に伝導されて、外部に放熱されるのを阻止するようにしている。
【００４３】
この結果、内鍋支持部５２部分の断熱性が向上する。
【００４４】
一方、上記蓋ユニット２側の上記ポリカバー２２上には、上述のように炊飯器本体側開口部の全体を覆う形で外カバー２１内の略全体に亘って断熱部材２０が設けられ、その上方にも有効な断熱空間Ａ1を形成している。すなわち、この断熱部材２０は、上記後端側の外カバー２１の係合片２１ａとの係合片２２ａや前端側のロック機構１３部分を除いて、外カバー２１裏面側の略全体に有効に配設されている。
【００４５】
もちろん、上述のようにポリカバー２２の外周側フランジ部２２ｃは、下方側に円弧部を形成する形で上記肩部材５方向に延び、その先端２２ｄ部は上述した上記肩部材５側フランジ部５１上の断面Ｕ字状の凹溝部の底部面上および段部面上に臨む状態で嵌合されている。したがって、同断熱部材２０も、許される設置面積の関係で、該外周側フランジ部２２ｃを除く内周面側（フラット面側）では、その厚さが十分に厚く形成されているが、上記フランジ部２２ｃ側（外周側）では同断熱部材２０が上下方向の厚さを相対的に薄くした状態で先端２２ｄ上まで延設被覆されている。
【００４６】
しかも、この場合、上記断熱部材２０が設置される上記ポリカバー２２の本体部２２ｂの上面部には、当該ポリカバー２２と断熱部材２０との間に断熱空間Ａ3を形成するための所定の高さのリブ２２ｅ，２２ｅ・・・が周方向に所定の間隔で設けられている（特に図５を参照）。
【００４７】
この結果、同蓋ユニット２外周のポリカバー２２部分は、断熱部材２０の外周縁部２０ｃと同断熱空間Ａ3とで２重に断熱されることになり、より断熱性能が向上する。
【００４８】
これらの結果、以上の構成によれば、先ず蓋ユニット２が閉じられると、上記蓋ユニット２側の断熱部材２０が、上記炊飯器本体側の断熱部材３０の上端部３０ａの上部および外周を所定の幅以上冠合する形で重合され、それら２つの断熱部材２０，３０のオーバラップ部（重合部）で、上記内鍋３の開口縁部３ｃを囲繞する状態でシール性良く断熱することになる。
【００４９】
すなわち、以上のような構成によれば、炊飯器本体の開口部周縁と蓋ユニット２外周縁との相互の嵌合部において、相互に嵌合した状態では、各々の断熱部材３０と２０同士が相互に所定の幅以上オーバーラップし、当該嵌合部においても従来のように熱放射方向にストレートな放熱空間としての隙間がなくなり、内鍋３の上端側開口縁部３ｃからの放射熱が、同炊飯器本体側断熱部材３０および蓋ユニット２側断熱部材２０のオーバーラップ部によって確実に遮断されるようになり、内鍋３の開口縁部３ｃから外部への放射熱量が大きく低減される。
【００５０】
しかも、炊飯器本体側の断熱部材３０の上端３０ａと蓋ユニット２側の断熱部材２０の外周とは、炊飯器本体側断熱部材３０の上端３０ａが、蓋ユニット２側断熱部材２０の内側に位置する形で炊飯器本体と蓋ユニット２との嵌合時において嵌合方向に沿って所定の幅以上重なり合うように構成されている。
【００５１】
したがって、このような構成によれば、内鍋３の上端側開口縁部３ｃからの放射熱が、内側に位置して嵌合性良く適切に重なり合う炊飯器本体側断熱部材３０および外側に位置して嵌合性良く適切に重なり合う蓋側断熱部材２０相互のオーバーラップ部によって確実に遮断され、外部への放射量が大きく低減される。
【００５２】
また、以上の構成では、炊飯器本体側肩部材５の開口部内周縁には下方側に開口するとともに所定の高さ上方側に延びる逆Ｕ字状の内鍋支持部５２が設けられており、該内鍋支持部５２内側の凹溝部内に炊飯器本体側断熱部材３０の上端３０ａ側を挿入することにより、当該炊飯器本体側断熱部材３０を固定している。
【００５３】
したがって、このような構成によれば、炊飯器本体側開口部周縁、すなわち肩部材５部分の断熱と炊飯器本体側断熱部材３０の位置決めおよび固定とが同時に達成される。
【００５４】
また、その場合において、同内鍋支持部５２の下面側凹溝部の内ケース４面側には所定の壁面高さのリブ５４が設けられていて、炊飯器本体側の断熱部材３０は、炊飯器本体側の内ケース４の外周面に対して、同リブ５４を介して所定の間隔の隙間を保って支持されている。
【００５５】
このような構成によれば、同所定の間隔の隙間が断熱空間Ａ2として有効に作用し、より炊飯器本体および開口部周縁（肩部材５部分）の断熱性能が向上する。
【００５６】
また、以上の構成では、上記嵌合時において相互に対応する炊飯器本体の開口部周縁部材（肩部材５内周の内鍋支持部５２）および蓋ユニット２の外周縁部材（ポリカバー２２の外周部）の一部（外壁部５２ｂおよびフランジ部２２ｃ）をそれぞれ薄肉に形成している。
【００５７】
このような構成によると、炊飯器本体と蓋ユニット２との嵌合部におけるポリカバー２２、肩部材５等重合部材の伝熱性を低下させることができ、それらの部分を介した外部への熱伝導による放熱量をも有効に低減することができる。
【００５８】
ところで、以上のように内鍋３の開口縁部３ｃの直下（直近）まで断熱部材３０の上端３０ａを延ばして内鍋３の開口縁部３ｃを支持するようにすると（図４、図５参照）、確かに断熱性能は向上するが、一方内鍋３を取り出す時に取り出しにくくなる。
【００５９】
そこで、この実施の形態では、例えば図６および図７に示すように、肩部材５部分の半径方向の幅Ｗが最も広く最もスペースに余裕のある対角線方向の少なくとも２ケ所に凹溝形状の把手溝５６ａ（内鍋支持部５２の高さを部分的に低くすることにより形成）とそれに対応した半径方向に広い指挿入スペース５６（フランジ部５１の幅を広くすることにより形成）を設けることにより、内鍋３を取出しやすくしている。
【００６０】
（変形例）
なお、上述の肩部材５のフランジ部５１の内側に形成される断面逆Ｕ字状の内鍋支持部５２は、その外周側の縦壁面を図８に示すようなテーパ面とし、上端側の半径方向の幅を下端側の半径方向の幅よりも小さくし、それによって内鍋３の開口縁部３ｃを取り出し易くすることも可能である。
【００６１】
このような構成にすると、上述の実施の形態（図６、図７）のように、部分的に専用の把手溝５６ａおよび指挿入スペース５６を設ける必要がなくなり、肩部５の全周を確実に断熱部材３０（その上端３０ａ）で囲むことができるので、より断熱効果が向上する。
【図面の簡単な説明】
【００６２】
【図１】本願発明の最良の実施の形態に係る電気炊飯器の炊飯器本体および蓋ユニットの構成を示す前後方向の断面図である。
【図２】同左右方向の断面図である。
【図３】同電気炊飯器の炊飯器本体の底部材を外して見た底面図である。
【図４】同電気炊飯器の炊飯器本体と蓋との嵌合部を前後方向に切断した時の要部の拡大断面図である。
【図５】同電気炊飯器の炊飯器本体と蓋との嵌合部を左右方向に切断した時の要部の拡大断面図である。
【図６】同電気炊飯器の炊飯器本体部分の上面図である。
【図７】同電気炊飯器の炊飯器本体における肩部材の内鍋把手溝部分の構成を示す斜視図である。
【図８】本願発明の最良の実施の形態に係る電気炊飯器の変形例に係る炊飯器本体肩部材部分の要部の構成を示す拡大断面図である。
【符号の説明】
【００６３】
Ａは炊飯器本体、Ｌ1，Ｌ2はワークコイル、Ｈ1は保温ヒータ、１は外ケース、２は蓋ユニット、５は肩部材、３は内鍋、９は操作パネル、２２はポリカバー、２２ｃはポリカバー２２の外周フランジ部、５１は肩部材５のフランジ部、５２は肩部材５の断面逆Ｕ字状の内鍋支持部、５４，７４はリブである。
【図１】
2008272095.tif 000003
【図２】
2008272095.tif 000004
【図３】
2008272095.tif 000005
【図４】
2008272095.tif 000006
【図５】
2008272095.tif 000007
【図６】
2008272095.tif 000008
【図７】
2008272095.tif 000009
【図８】
2008272095.tif 000010